(57)【要約】【課題】光源部から蛍光部材に励起光を照射して蛍光部材から照明光を射出させるに際して、光源部や蛍光部材に異常があった場合には、異常な状態で被検体に照明光を照明してしまうことを確実に防止することが可能な照明装置及び内視鏡装置を提供する。【解決手段】照明装置１ａは、励起光を発する光源部１１と、光源部１１に電流を供給する光源駆動部１２と、励起光によって照明光を射出する蛍光部材１４と、蛍光部材１４に励起光を導光する光伝送部材１３と、励起光または照明光の光量を検出する光検出手段２０と、光検出手段２０からの検出結果に基づいて光量が異常な状態かどうかを検知し、異常な状態と認められた場合に光量異常信号を出力する制御部６と、制御部６から一度、光量異常信号が出力されると、光源部１１からの励起光の照射を停止した状態を維持させる規制手段２２とを備える。【選択図】図２
2008289712.tif 000002
【特許請求の範囲】
【請求項１】
被検体の内部に挿入される挿入部を有して前記被検体の内部を照明する照明装置であって、
供給される電流に応じて励起光を発する光源部と、
該光源部に電流を供給する光源駆動部と、
前記励起光によって照明光を射出する蛍光部材と、
該蛍光部材に前記励起光を導光する光伝送部材と、
前記励起光または前記照明光の少なくとも一方の光量を検出する光検出手段と、
該光検出手段からの検出結果に基づいて前記励起光または前記照明光の光量が異常な状態かどうかを検知し、異常な状態と認められた場合に光量異常信号を出力する制御部と、
該制御部から一度、前記光量異常信号が出力されると、該光量異常信号に基づいて前記光源部からの前記励起光の照射を停止した状態を維持させる規制手段とを備えることを特徴とする照明装置。
【請求項２】
請求項１に記載の照明装置において、
前記光検出手段は、前記光源部から発せられる前記励起光の光量を検出する入力側光検出部と、
前記蛍光部材から射出される前記照明光の光量を検出する出力側光検出部とを有することを特徴とする照明装置。
【請求項３】
請求項１または請求項２に記載の照明装置において、
前記規制手段は、前記光源部と前記光源駆動部との間に介挿されていて、前記制御部から出力される光量異常信号によって切断されるヒューズを有していることを特徴とする照明装置。
【請求項４】
請求項１から請求項３のいずれかに記載の照明装置において、
前記光源部の温度を検出する温度検出部を備え、
前記制御部は、該温度検出部からの検出結果に基づいて前記光源部の温度状態が異常な状態かどうか検知し、異常な状態と認められた場合に温度異常信号を出力し、
前記規制手段は、前記制御部から前記温度異常信号が出力されている間、前記光源部からの前記励起光の照射を停止した状態を維持させることを特徴とする照明装置。
【請求項５】
請求項１から請求項４のいずれかに記載の照明装置と、
前記挿入部の先端側に設けられ、被検体の内部を観察する観察手段とを備えることを特徴とする内視鏡装置。
【発明の詳細な説明】
【技術分野】
【０００１】
本発明は、被検体の内部に挿入して内部を照明する照明装置、及び、被検体の内部を観察する内視鏡装置に関する。
【背景技術】
【０００２】
従来から、工業用分野においては機械構造の内部など、医療用分野においては患者の体内など、被検体の内部を観察するために、内視鏡装置が広く用いられている。このような内視鏡装置は、被検体の内部に挿入する挿入部を有し、挿入部の先端に観察手段が設けられていることで被検体の内部を観察することが可能となっている。一方、内視鏡装置によって観察する被検体の内部は、観察手段によって観察するのに十分な明るさを有していないことが多い。このため、内視鏡装置には、被検体の内部を照明するための照明装置が内蔵されている。
【０００３】
このような照明装置としては、挿入部の基端側に設けられたメタルハライドランプなどの光源部から発せられる照明光を、挿入部に配設された光伝送部材であるライトガイドによって導光して、挿入部の先端側を照明するものがある（例えば、特許文献１参照）。また、励起光としてレーザ光を発する光源部と、挿入部に配設されて光源部からのレーザ光を導光する光伝送部材であるライトガイドと、ライトガイドの先端に設けられてレーザ光によって励起されて照明光を射出する蛍光部材とを備える照明装置が提案されている（例えば、特許文献２参照）。このような照明装置では、特許文献１のような光源部から照明光を発してライトガイドによって導光して照明する場合と比較して、装置全体を小型化することができるとともに、低電圧で駆動できて効率的に照明光を発することができるとされている。
【特許文献１】特開平５−２７１８４号公報
【特許文献２】特開２００６−２９６４９９号公報
【発明の開示】
【発明が解決しようとする課題】
【０００４】
しかしながら、特許文献２の照明装置において、光源部が損傷を受けた場合、供給される電流量と対応して予定される光量よりも大光量のレーザ光を発してしまう場合がある。このような場合には、大光量のレーザ光によって励起されることで、蛍光部材からは大光量の照明光が外部に照射されてしまうとともに、蛍光部材が損傷してしまうおそれもある。また、蛍光部材が損傷してしまった場合には、光源部からのレーザ光が透過して外部に直接照射されてしまう場合がある。そして、このように光源部や蛍光部材が異常な状態で照明を継続すれば、大光量のレーザ光や照明光が外部に照射されて被検体に物理的に影響を及ぼしてしまうおそれがあった。
【０００５】
この発明は、上述した事情に鑑みてなされたものであって、光源部から蛍光部材に励起光を照射して蛍光部材から照明光を射出させるに際して、光源部や蛍光部材に異常があった場合には、異常な状態で被検体に照明光を照明してしまうことを確実に防止することが可能な照明装置及び内視鏡装置を提供するものである。
【課題を解決するための手段】
【０００６】
上記課題を解決するために、この発明は以下の手段を提案している。
本発明は、被検体の内部に挿入される挿入部を有して前記被検体の内部を照明する照明装置であって、供給される電流に応じて励起光を発する光源部と、該光源部に電流を供給する光源駆動部と、前記励起光によって照明光を射出する蛍光部材と、該蛍光部材に前記励起光を導光する光伝送部材と、前記励起光または前記照明光の少なくとも一方の光量を検出する光検出手段と、該光検出手段からの検出結果に基づいて前記励起光または前記照明光の光量が異常な状態かどうかを検知し、異常な状態と認められた場合に光量異常信号を出力する制御部と、該制御部から一度、前記光量異常信号が出力されると、該光量異常信号に基づいて前記光源部からの前記励起光の照射を停止した状態を維持させる規制手段とを備えることを特徴としている。
【０００７】
この発明に係る照明装置によれば、光源駆動部から供給される電流に応じて光源部から励起光を発し、光伝送部材によって導光して蛍光部材に照射することで、蛍光部材は励起して照明光を射出することとなる。この際、光検出手段によって励起光または照明光の光量を検出していて、その検出結果を制御部に出力している。そして、光源部や蛍光部材が損傷するなどして、出力される励起光または照明光の光量に異常が生じた場合には、制御部は、検出結果に基づいて光量異常信号を規制手段に出力する。規制手段は、この光量異常信号に基づいて光源部からの励起光の照射を停止させ、この状態を維持させることで、光量異常信号の出力後は蛍光部材から照明光が射出されてしまうことが一切無くなる。
【０００８】
また、上記の照明装置において、前記光検出手段は、前記光源部から発せられる前記励起光の光量を検出する入力側光検出部と、前記蛍光部材から射出される前記照明光の光量を検出する出力側光検出部とを有することがより好ましいとされている。
【０００９】
この発明に係る照明装置によれば、光検出手段の入力側光検出部及び出力側光検出部によって励起光及び照明光の光量をともに検出することで、制御部は、この検出結果に基づいて光源部及び蛍光部材の異常をより詳細に検知することができる。
【００１０】
また、上記の照明装置において、前記規制手段は、前記光源部と前記光源駆動部との間に介挿されていて、前記制御部から出力される光量異常信号によって切断されるヒューズを有していることがより好ましいとされている。
【００１１】
この発明に係る照明装置によれば、制御部から光量異常信号が出力されることによって規制手段のヒューズが切断されることで、光源駆動部から光源部への電流の供給を行うことが不可能となり、光量異常信号出力後は、光源部からの励起光の照射を停止した状態を維持させることができる。
【００１２】
また、上記の照明装置において、前記光源部の温度を検出する温度検出部を備え、前記制御部は、該温度検出部からの検出結果に基づいて前記光源部の温度状態が異常な状態かどうか検知し、異常な状態と認められた場合に温度異常信号を出力し、前記規制手段は、前記制御部から前記温度異常信号が出力されている間、前記光源部からの前記励起光の照射を停止した状態を維持させることがより好ましいとされている。
【００１３】
この発明に係る照明装置によれば、光源部は、光源駆動部から供給される電流によって温度変化しながら励起光を発する。ここで、光源部の温度変化は、温度検出部によって検出されて制御部に出力されている。そして、制御部は、この検出結果から光源部の温度状態が異常であると検知した場合には、温度異常信号を規制手段に出力する。規制手段は、この温度異常信号が出力されている間、光源部からの励起光の照射を停止し、この状態を維持させることで、光源部が異常な温度状態によって劣化、損傷してしまうことを防止することができる。一方、光源部の温度状態が適正な状態に戻った場合には、制御部からの温度異常信号の出力が停止することで、規制手段による停止状態が解除され、光源部から再び励起光を発し、これにより蛍光部材から照明光を射出して被検体を好適に照明することができるようになる。
【００１４】
また、本発明は、上記の照明装置と、前記挿入部の先端側に設けられ、被検体の内部を観察する観察手段とを備えることを特徴としている。
この発明に係る内視鏡装置によれば、上記照明装置によって光源部や蛍光部材が異常な状態で照明してしまうことを防止しつつ被検体の内部を照明して、観察手段によって観察することができる。
【発明の効果】
【００１５】
本発明の照明装置によれば、規制手段を備えていることで、光源部から蛍光部材に励起光を照射して蛍光部材から照明光を射出させるに際して、光源部や蛍光部材に異常があった場合には、異常な状態で被検体に照明光を照明してしまうことを防止することができる。
また、本発明の内視鏡装置によれば、上記照明装置を備えていることで、照明装置によって照明するのに際して、異常な状態で照明することを防止しつつ、被検体の内部を照明して、観察することができる。
【発明を実施するための最良の形態】
【００１６】
本発明に係る実施形態について、図１から図６を参照して説明する。
図１及び図２に示すように、本実施形態に係る内視鏡装置１は、被検体の内部に挿入される細長の挿入部２と、挿入部２の基端と接続された装置本体部３と、装置本体部３に接続されたモニタ４とを備える。挿入部２は、可撓性を有する軟性タイプのものでも良いし、一定の形状を保持する硬性タイプのものでも良い。また、挿入部２の先端には、着脱可能なアダプタ２ａが接続されている。
【００１７】
挿入部２及び装置本体部３には、挿入部２の先端側に位置する検査対象を観察する観察手段５と、該検査対象を照明する照明手段１０と、観察手段５及び照明手段１０を制御する制御部６とが設けられていて、内視鏡装置１は、挿入部２と照明手段１０と制御部６とを有する照明装置１ａを備えた構成となっている。制御部６は、互いに送受信可能なメインＣＰＵ６ａ及びサブＣＰＵ６ｂと、サブＣＰＵ６ｂと接続されたメモリ６ｃとで構成されている。メモリ６ｃは、後述するように異常が発生した場合に、サブＣＰＵ６ｂによって異常発生を記録することが可能である。また、制御部６のメインＣＰＵ６ａには、メインスイッチ７ａと、ランプスイッチ７ｂとが接続されている。メインスイッチ７ａは、装置全体のオン・オフを行う。また、ランプスイッチ７ｂは、後述する光源駆動部１２からレーザダイオード１１への電流の供給のオン・オフを行い、照明手段１０による照明の点灯、消灯のみを切り替えることが可能となっている。
【００１８】
また、観察手段５は、アダプタ２ａで外部に露出して設けられた対物光学系５ａと、挿入部２の内部において対物光学系５ａの結像位置に設けられた撮像素子であるＣＣＤ（Ｃｈａｒｇｅ  Ｃｏｕｐｌｅｄ  Ｄｅｖｉｃｅ）５ｂとを有し、ＣＣＤ５ｂは、制御部６のメインＣＰＵ６ａと接続されている。このため、観察手段５は、制御部６のメインＣＰＵ６ａによる制御の下、ＣＣＤ５ｂを駆動し、対物光学系５ａによって結像された被検体の観察像をＣＣＤ５ｂによって電気信号に変換して制御部６のメインＣＰＵ６ａに出力し、メインＣＰＵ６ａは、この電気信号に基づいてモニタ４に映像を映し出すことが可能である。
【００１９】
また、照明手段１０は、装置本体部３に内蔵されていて励起光としてレーザ光を発する光源部であるレーザダイオード１１と、レーザダイオード１１に電流を供給する光源駆動部１２と、挿入部２に基端側から先端側へ配設された光伝送部材である照明用ライトガイド１３と、挿入部２の先端内部に設けられた蛍光部材１４と、アダプタ２ａで外部に露出して設けられた照明用光学系１５とを備える。光源駆動部１２は、制御部６のメインＣＰＵ６ａとＤＡコンバータ１６を介して接続されている。このため、光源駆動部１２は、制御部６のメインＣＰＵ６ａから出力されてＤＡコンバータ１６によってＤＡ変換された照明信号の電圧値に応じた電流量でレーザダイオード１１に電流を供給することが可能であり、レーザダイオード１１からは、供給される電流量に応じた光量で特定波長のレーザ光を発することが可能である。また、レーザダイオード１１は、照明用ライトガイド１３の基端とコネクタ１３ａによって光学的に接続されていて、これによりレーザ光を照明用ライトガイド１３よって先端側まで導光して、蛍光部材１４に照射することが可能である。このため、蛍光部材１４は、励起されて、レーザ光の光量に応じた光量の白色光である照明光を先端側に射出することとなり、照明用光学系１５によって集束して先端側を照明することが可能である。なお、光源駆動部１２からレーザダイオード１１に供給される電流量は、センサ１７によって検出され、検出結果は制御部６のサブＣＰＵ６ｂへ出力されていて、サブＣＰＵ６ｂは、光源駆動部１２によって供給される電流量の監視を行っている。
【００２０】
また、照明手段１０は、装置本体部３に内蔵されて、レーザダイオード１１から発せられるレーザ光及び蛍光部材１４から射出される照明光の光量を検出する光検出手段２０と、レーザダイオード１１の温度を検出する温度検出部２１と、光源駆動部１２からレーザダイオード１１への電流の供給を規制する規制手段２２とを備える。
【００２１】
光検出手段２０は、レーザダイオード１１から発せられるレーザ光の光量を検出する入力側光検出部２０ａと、蛍光部材１４から射出される照明光の光量を検出する出力側光検出部２０ｂとを有する。ここで、入力側光検出部２０ａ及び出力光検出部２０ｂは、例えばフォトダイオードである。入力側光検出部２０ａは、より詳しくは、装置本体部３に内蔵されていて、照明用ライトガイド１３によって導光されるレーザ光の光量を検出している。また、出力側光検出部２０ｂは、より詳しくは、装置本体部３に内蔵されていて、アダプタ２ａから挿入部２を介して装置本体部３まで配設された検出用ライトガイド２０ｃの基端に接続されている。検出用ライトガイド２０ｃの先端は、照明用光学系１５に接続されている。また、照明用光学系１５の先端面の一部には反射板２０ｄが設けられていて、蛍光部材１４から射出されて照明用光学系１５に到達した照明光の一部を反射させて検出用ライトガイド２０ｃに入光させることが可能である。そして、出力側光検出部２０ｂは、検出用ライトガイド２０ｃによって基端側まで導光された光を検出することで、照明光の光量を検出することを可能としている。
【００２２】
光検出手段２０の入力側光検出部２０ａ及び出力側光検出部２０ｂは、マルチプレクサ２３及びＡＤコンバータ２４を介して制御部６のサブＣＰＵ６ｂと接続されている。このため、光検出手段２０の入力側光検出部２０ａ及び出力側光検出部２０ｂからマルチプレクサ２３に入力される各検出結果は、サブＣＰＵ６ｂからの切替信号に応じて、ＡＤコンバータ２４を介してＡＤ変換してサブＣＰＵ６ｂへ出力されることとなる。ここで、サブＣＰＵ６ｂは、後述するように、検出されたレーザ光及び照明光の光量を監視し、いずれかが予め設定された閾値を超えた場合には、光量異常信号を出力する。
【００２３】
また、照明手段１０において、温度検出部２１は、上記ＤＡコンバータ１６と、定電圧部２５とを介して制御部６のメインＣＰＵ６ａと接続されている。このため、制御部６のメインＣＰＵ６ａから出力されＤＡコンバータ１６によってＤＡ変換された照明信号は定電圧部２５にも出力され、温度検出部２１には、定電圧部２５に入力された照明信号の電圧値に応じた電圧が入力される。これにより温度検出部２１は、駆動し、レーザダイオード１１で発生した熱を伝達させてレーザダイオード１１を冷却するとともに、レーザダイオード１１の温度を検出することが可能である。なお、図２において、２点鎖線は、レーザダイオード１１で発生した熱の伝達経路を示している。ここで、温度検出部２１は、ファン２６による送風で冷却されていて、これによりレーザダイオード１１から温度検出部２１に伝達された熱を外部に輸送し、レーザダイオード１１の冷却を促進させることが可能となっている。ファン２６は、制御部６のメインＣＰＵ６ａと接続されていて、メインＣＰＵ６ａによって回転数が制御されているとともに、自らの回転数を検出し、メインＣＰＵ６ａへ出力することが可能である。
【００２４】
また、温度検出部２１によって検出されたレーザダイオード１１の温度は、温度信号としてＡＤコンバータ２７によってＡＤ変換されてメインＣＰＵ６ａへ出力される。そして、制御部６のメインＣＰＵ６ａは、後述するように、検出されたレーザダイオード１１の温度を監視し、予め設定された閾値を超えた場合は、温度異常の情報をサブＣＰＵ６ｂに送信し、サブＣＰＵ６ｂは、温度異常信号を出力する。
【００２５】
また、照明手段１０において、規制手段２２は、光源駆動部１２とレーザダイオード１１との間に介挿されたリミッタ回路２８及びスイッチ回路２９を有する。リミッタ回路２８は、レーザダイオード１１と接続されていて、レーザダイオード１１に供給される電流量を所定範囲に制限するものである。また、スイッチ回路２９は、リミッタ回路２８と光源駆動部１２との間に設けられているとともに、サブＣＰＵ６ｂと接続されている。そして、サブＣＰＵ６ｂから出力される光量異常信号、温度異常信号に基づいて光源駆動部１２からレーザダイオード１１へ供給する電流を停止させるものである。
【００２６】
図３は、スイッチ回路２９の詳細を示している。図３に示すように、スイッチ回路２９は、三つのＦＥＴ（Ｆｉｅｌｄ  Ｅｆｆｅｃｔ  Ｔｒａｎｓｉｓｔｏｒ）３０ａ、３０ｂ、３０ｃと、三つの抵抗３１ａ、３１ｂ、３１ｃと、ヒューズ３２とで構成されている。ＦＥＴ３０ａ及びヒューズ３２は、光源駆動部１２とレーザダイオード１１との間に介挿されている。また、ＦＥＴ３０ｂは、ゲート側に上記温度異常信号が入力されるように、サブＣＰＵ６ｂと接続されている。また、ＦＥＴ３０ｃは、ゲート側に上記光量異常信号が入力されるようにサブＣＰＵ６ｂと接続されている。また、抵抗３１ｃの抵抗値は、後述するようにヒューズ３２を切断させるのに必要な大きさでヒューズ３２に電流を供給可能に設定されている。
【００２７】
次に、内視鏡装置１の作用及び制御部６による制御の詳細について図１から図６に基づいて説明する。図１及び図２に示すように、メインスイッチ７ａ及びランプスイッチ７ｂをオンとすると、メインＣＰＵ６ａから照明信号が出力され、光源駆動部１２からレーザダイオード１１へ電流が供給される。これにより、供給される電流量に応じた光量のレーザ光がレーザダイオード１１から発せられて蛍光部材１４が励起され照明光を射出し、外部を照明することとなる。
【００２８】
この際、図４に示すように、温度検出部２１によってレーザダイオード１１が冷却されるとともに、レーザダイオード１１の温度状態が検出され、制御部６のメインＣＰＵ６ａは、レーザダイオード１１の温度が予め設定された閾値以下どうかの確認を行う（ステップＳ１）。レーザダイオード１１の温度が閾値以下である場合は、制御部６のメインＣＰＵ６ａは、レーザダイオード１１の温度状態が正常な範囲であるものとして、温度状態に応じて照明信号を変更し、また、ファン２６の回転数を調整して、レーザダイオード１１が最適な温度状態となるようにフィードバック制御する（ステップＳ２）。次に、光検出手段２０によってレーザ光及び照明光の光量が検出され、制御部６のサブＣＰＵ６ｂは、レーザ光の光量が予め設定された閾値以下かどうか、照明光の光量が予め設定された閾値以下かどうかについてそれぞれ確認を行う（ステップＳ３、ステップＳ４）。そして、レーザ光及び照明光の光量がともにそれぞれの閾値以下である場合には、上記フローを繰り返し行う。
【００２９】
一方、レーザダイオード１１の温度が閾値を超えている場合（ステップＳ１）、図５に示すように、制御部６のメインＣＰＵ６ａは、ファン２６の回転数を増大させてレーザダイオード１１の冷却を促進させるとともに、サブＣＰＵ６ｂに温度異常発生情報を送信する（ステップＳ１０）。制御部６のサブＣＰＵ６ｂは、受信した温度異常発生情報をもとに、異常温度発生の事実をデータとしてメモリ６ｃに記録する（ステップＳ１１）とともに、図３に示す規制手段２２のＦＥＴ３０ｂへの温度異常信号の出力を開始する（ステップＳ１２）。
【００３０】
これより、図３に示すように、規制手段２２においてＦＥＴ３０ｂは温度異常信号の電圧値に基づいてオンとなって、光源駆動部１２からレーザダイオード１１への電流の供給が停止した状態となる。このため、レーザダイオード１１が供給される電流によってさらに温度上昇して損傷してしまうのを防止するとともに、レーザダイオード１１は、自然冷却並びに温度検出部２１及びファン２６による強制冷却によって冷却されることとなる。
【００３１】
この間、制御部６のサブＣＰＵ６ｂがメモリ６ｃに異常温度発生の事実が記録されているのに基づいて温度異常信号を出力しつつけることによって、レーザダイオード１１からのレーザ光の照射を停止した状態を維持させるとともに、メインＣＰＵ６ａは、レーザダイオード１１の温度が閾値以下か監視を行う（ステップＳ１３）。そして、レーザダイオード１１の温度が閾値以下となった場合には、制御部６のメインＣＰＵ６ａは、レーザダイオード１１の温度が正常な状態に戻ったとして、サブＣＰＵ６ｂに温度異常解除情報を送信する（ステップＳ１４）。制御部６のサブＣＰＵ６ｂは、受信した温度異常解除情報をもとに、メモリ６ｃから異常温度発生の事実についてのデータの削除を行う（ステップＳ１５）とともに、規制手段２２のＦＥＴ３０ｂへの温度異常信号の出力を停止する（ステップＳ１６）。これにより、光源駆動部１２からレーザダイオード１１へ再び電流が供給され、レーザダイオード１１からレーザ光を発して蛍光部材１４から射出される照明光によって外部を照明可能な状態となる。
【００３２】
また、図４においてレーザ光または照明光の光量が閾値を超えている場合（ステップＳ３、Ｓ４）、図６に示すように、制御部６のサブＣＰＵ６ｂは、規制手段２２のＦＥＴ３０ｃへ光量異常信号を出力する（ステップＳ２０）。これにより図３に示すように、規制手段２２においてＦＥＴ３０ｃは光量異常信号の電圧値に基づいてオンとなって、抵抗３１ｃの抵抗値に応じた大きさの電流がヒューズ３２に流れることで、ヒューズ３２は切断されることとなる。このため、これ以降、ランプスイッチ７ｂがオンの状態であったとしても、光源駆動部１２からレーザダイオード１１へ電流を供給することができなくなる。このため、レーザダイオード１１からのレーザ光の照射を停止した状態が維持されることとなり、異常な光量のレーザ光や照明光が外部に照射されてしまうことが一切無くなる。
【００３３】
また、図４に示すように、制御部６のサブＣＰＵ６ｂは、メモリ６ｃに異常光量発生の事実をデータとして記録する（ステップＳ２１）とともに、メインＣＰＵ６ａに光量異常発生情報を送信する（ステップＳ２２）。制御部６のメインＣＰＵ６ａは、受信した光量異常発生情報をもとに、異常の原因となった部品及び切断されたヒューズ３２の交換をモニタ４に表示させる。以降、制御部６のメインＣＰＵ６ａは、これら部品の交換が完了したかどうかの監視を行い（ステップＳ２３）、交換が完了した場合には、サブＣＰＵ６ｂに光量異常解除情報の送信を行う（ステップＳ２４）。そして、制御部６のサブＣＰＵ６ｂは、受信した光量異常解除情報をもとに、メモリ６ｃから異常光量発生の事実についてのデータの削除を行う（ステップＳ２５）。これにより光源駆動部１２からレーザダイオード１１へ電流を供給することが可能な状態となり、レーザダイオード１１からレーザ光を発して蛍光部材１４から射出される照明光によって外部を照明可能な状態となる。
【００３４】
以上のように、本実施形態の内視鏡装置１では、規制手段２２のスイッチ回路２９を備えることで、レーザダイオード１１や蛍光部材１４に異常があった場合には、異常な状態で被検体に照明光を照明してしまうことを防止しつつ、被検体の内部を、照明手段１０によって照明し、また、観察手段５によって好適に観察することができる。さらに本実施形態の内視鏡装置１では、温度検出部２１によってレーザダイオード１１の温度状態を監視し、異常である場合には規制手段２２によってレーザダイオード１１からのレーザ光の照射を停止することで、レーザダイオード１１が異常な温度状態によって劣化、損傷してしまうことを防止することができ、より好適である。
【００３５】
なお、本実施形態では、光検出手段２０は、入力側光検出部２０ａと出力側光検出部２０ｂによってレーザ光及び照明光の光量をともに検出するものとしたが、これに限るものでは無く、一方のみを検出し、監視するものとしても良い。しかしながら、レーザ光及び照明光の光量をともに検出し、監視することで、レーザダイオード１１や蛍光部材１４の異常をより詳細に検知し、異常な状態で照明してしまうことをより確実に防止することができる。
【００３６】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００３７】
【図１】本発明の実施形態の内視鏡装置の外部構成を示す全体構成図である。
【図２】本発明の実施形態の内視鏡装置の内部構成を示す全体構成図である。
【図３】本発明の実施形態の内視鏡装置において、規制手段の詳細を示す回路図である。
【図４】本発明の実施形態の内視鏡装置において、正常状態における光量及び温度の監視手順を示すフロー図である。
【図５】本発明の実施形態の内視鏡装置において、温度が異常状態と確認された場合おける制御部による制御手順を示すフロー図である。
【図６】本発明の実施形態の内視鏡装置において、光量が異常状態と確認された場合における制御部による制御手順を示すフロー図である。
【符号の説明】
【００３８】
１  内視鏡装置
１ａ  照明装置
２  挿入部
５  観察手段
６  制御部
１１  レーザダイオード（光源部）
１２  光源駆動部
１３  照明用ライトガイド（光伝送部材）
１４  蛍光部材
２０  光検出手段
２０ａ  入力側光検出部
２０ｂ  出力側光検出部
２１  温度検出部
２２  規制手段
３２  ヒューズ
【図１】
2008289712.tif 000003
【図２】
2008289712.tif 000004
【図３】
2008289712.tif 000005
【図４】
2008289712.tif 000006
【図５】
2008289712.tif 000007
【図６】
2008289712.tif 000008